(57)【要約】【課題】親子ドア、両開きドア等の両開きドアの取付け作業性や固着性及び吸音防振性に優れた両開きドア召し合わせ部材及び取付構造を提供すること。【解決手段】両開きドアの双方当接部に上下にわたって固着される召し合わせ部材であって、該召し合わせ部材は長尺円柱部１１、２１、３１、４１、５１と該長尺円柱部１１、２１、３１、４１、５１を中心に放射状に形成された補強用リブ部１１１、２１１、３１１、４１１、５１１、長尺円筒体１２、２２、３２、４２、５２とにより構成され、前記補強用リブ部１１１、２１１、３１１、４１１、５１１の先端部は、長尺円筒体１２、２２、３２、４２、５２の内部において、該補強用リブ部１１１、２１１、３１１、４１１、５１１が当接又は干渉する部分に挿入凹部１２０、２２０、３２０、４２０、５２０を有し、補強用リブ部１１１、２１１、３１１、４１１、５１１の先端部１１２、２１２、３１２、４１２、５１２は、前記挿入凹部１２０、２２０、３２０、４２０、５２０内に嵌挿していることを特徴とするものである。【選択図】図１
2004353172.tif 000002
【特許請求の範囲】
【請求項１】
両開きドアの双方当接部に上下にわたって固着される召し合わせ部材であって、該召し合わせ部材は長尺円柱部と、該長尺円柱部を中心に放射状に形成された補強用リブ部と、長尺円筒体とにより構成され、
前記補強用リブ部の先端部は、長尺円筒体の内部において、該補強用リブ部が当接又は干渉する部分に挿入凹部を有し、補強用リブ部の先端部は挿入凹部内に嵌挿していることを特徴とする両開きドア召し合わせ部材。
【請求項２】
長尺円筒体の内部において、長尺円柱部と長尺円筒体の間に中間緩衝体を有することを特徴とする請求項１に記載の両開きドア召し合わせ部材。
【請求項３】
長尺円柱部は、金属、プラスチック成形体、又はその組合せのいずれかであることを特徴とする請求項１又は請求項２に記載の両開きドア召し合わせ部材。
【請求項４】
長尺円筒体は、木材、竹材、金属、プラスチック成形体又はその組合せ部材のいずれかよりなることを特徴とする請求項１、請求項２又は請求項３に記載の両開きドア召し合わせ部材。
【請求項５】
中間緩衝体は、弾性ゴム、防振ゴム、制振鋼板、合成樹脂発泡体、板ばねのいずれかであることを特徴とする請求項１、請求項２、請求項３又は請求項４に記載の両開きドア召し合わせ部材。
【請求項６】
長尺円柱部、長尺円筒体、中間緩衝体、のいずれ一種又は一種以上は、上端部、下端部において、係止具、固着具、ブラケット材のいずれかを有することを特徴とする請求項１、請求項２、請求項３、請求項４又は請求項５に記載の両開きドア召し合わせ部材。
【請求項７】
両開きドア召し合わせ部材は、両開きドアの双方当接部において、係止具、固着具、ブラケット材のいずれかを使用して、両開きドアのいずれかの双方当接部近傍に取付け固着されていることを特徴とする両開きドア召し合わせ部材の取付構造。
【発明の詳細な説明】
【０００１】
【発明の属する技術分野】
本発明は、親子ドア、両開きドア等の両開きドアの取付け作業性や固着性及び吸音防振性に優れた両開きドア召し合わせ部材及び取付構造に関するものである。
【０００２】
【従来の技術】
図９に示すごとく、両開きドアの一種である親子ドアは、例えば親ドア９１と子ドア９２との双方当接部分において、両開きドア召し合わせ部材９３を有している。ところで、特許文献１によれば、上記両開きドア召し合わせ部材９３は、図７及び図８に示すごとく、親ドア９１の一端において、ブラケット材９６を介在して、長尺の六角穴付ボルト９７が挿通されている。
【０００３】
上記六角穴付ボルト９７は、図７に示すごとく、下方部において、ナット螺合されて、上方部において座グリ内で六角レンチ９８を用いて該六角穴付ボルト９７に張力を調整することにより、召し合わせ部材の反りを防止することが提案されている。
【０００４】
一方、本出願人は、特許文献２により反りやねじれが生じない「フラッシュドア」を提案している。
他方、特許文献３により「平滑安定ドア」を提案している。
【０００５】
【発明が解決しようとする課題】
しかしながら、特許文献１により提案された召し合わせ部材９７は、ボルトが六角形であるため、螺合の繰り返し調整時において、ボルトの六角部の頂部（先鋭部）が接触摩耗し、嵌合力が保持できない場合を生じ易い。
【０００６】
また、比較的小さな六角レンチ９８により、大きな螺合力を調整しなければならず、作業に困難を伴う場合がある。そのため、親子ドア９の取付け作業性が良くないことになる。
【０００７】
一方、特許文献２に係る「フラッシュドア」は、接着剤中に吸着剤を混入することにより、芯材中の水分や熱の移動を防止して、芯材中の水分調整を介してドアの反りやねじれを防止するものである。
【０００８】
他方、特許文献３に係る「平滑安定ドア」は、木材繊維方向を多列化した寸法安定性の集成材を使用することにより、ドアの反りやねじれを生じさせなくするものである。
【０００９】
【特許文献１】
特開平９−５３３６９号公報
【特許文献２】
特願２００２−２１３８７１号
【特許文献３】
特願２００２−３４１９１８号
そこで、本発明は上記従来技術の問題点に鑑みてなされたものであり、本発明が解決しようとする課題は、取付け作業性、固着性、吸音防振性に優れ、しかも先の出願のように「反りやねじれの発生の少ないドア」を提供しようとするものである。
【００１０】
以下に、本発明の内容を図面の符号を付して具体的に説明する。
【００１１】
まず、請求項１に記載の発明が採った手段は、両開きドアの双方当接部に上下にわたって固着される召し合わせ部材であって、該召し合わせ部材は長尺円柱部１１、２１、３１、４１、５１と、該長尺円柱部１１等を中心に放射状に形成された補強用リブ部１１１、２１１、３１１、４１１、５１１と、長尺円筒体１２、２２、３２、４２、５２とにより構成され、
前記補強用リブ部の先端部は長尺円筒体１２、２２、３２、４２、５２の内部において、該補強用リブ部１１１、２１１、３１１、４１１、５１１が当接又は干渉する部分において、挿入凹部１２０、２４０、３２０、４２０、５３０を有することを特徴とするものである。
【００１２】
これにより、親子ドア、両開きドア等の両開きドアの取付け作業性や固着性及び吸音防振性に優れた両開きドア召し合わせ部材１〜５を得ることが出来る。
【００１３】
請求項２に記載の発明が採った手段は、長尺円筒体１２、２２、３２、４２、５２の内部において、長尺円柱部との間に中間緩衝体１４、２４を有することを特徴とするものである。
【００１４】
これにより、ドアの開閉時、特に両開きドアの双方当接部分の衝撃音を低下させたり、緩和することが出来る。
【００１５】
請求項３に記載の発明が採った手段は、長尺円柱部１１、２１、３１、４１、５１は、金属、プラスチック成形体又はその組合せ部材のいずれかであることを特徴とするものである。
【００１６】
これにより、剛性や弾性に優れ、かつ耐久性のある両開きドア召し合わせ部材１〜５を得ることが出来る。
【００１７】
請求項４に記載の発明が採った手段は、木材、竹材、金属、プラスチック成形体又はその組合せ部材のいずれかによりなることを特徴とするものである。
【００１８】
これにより、各種材料の有効利用により、各材料のそれぞれの特性を活かした両開きドア召し合わせ部材１〜５を得ることが出来る。
【００１９】
請求項５に記載の発明が採った手段は、弾性ゴム、防振ゴム、制振鋼板、合成樹脂発泡体、板ばねのいずれかであることを特徴とするものである。
【００２０】
これにより、両開きドアの開閉時における、特に双方当接の部分の振動を緩和すると共に、吸音性に優れた両開きドア召し合わせ部材１〜５を得ることが出来る。
【００２１】
また、請求項６に記載の発明が採った手段は、長尺円柱部１１、２１、３１、４１、５１、長尺円筒体１２、２２、３２、４２、５２、中間緩衝体１４、２４のいずれか一種又は一種以上は、上端部、下端部において、係止具、固着具、ブラケット材のいずれかを有することを特徴とするものである。
【００２２】
これにより、両開きドアの裏面上端部より下端部の双方当接部分において、両開きドア召し合わせ部材１〜５を強固に取付け固定することができる。
【００２３】
請求項７に記載された発明が採った手段は、両開きドア召し合わせ部材１〜５は、両開きドアの双方当接部において、係止具、固着具、ブラケット材のいずれかを使用して、両開きドアのいずれの双方当接部分近傍に取付け固着されることを特徴とする両開きドア召し合わせ部材１〜５の取付構造を提供するものである。
【００２４】
これにより、係止具、両開きドア等の両開きドアの取付け作業性や固着性及び吸音防振性に優れた両開きドア召し合わせ部材１〜５を迅速容易に得ることが出来る。
【００２５】
【発明の実施の形態】
本発明の実施の形態を実施例１〜５における実施の態様各請求項１〜７に記載の発明と対応させながら、図面を参照して具体的に説明する。
【００２６】
まず本発明に係る両開きドア召し合わせ部材１〜５は、請求項１に記載のごとく、両開きドアの双方当接部に上下にわたって固着される召し合わせ部材であって、長尺円柱部１１、１２、１３、１４、１５と、該長尺円柱部１１、１２、１３、１４、１５を中心に放射状に形成された補強用リブ部１１１、２１１、３１１、４１１、５１１とにより構成されている。
【００２７】
そして、前記補強用リブ部１１１、２１１、３１１、４１１、５１１の先端部は、長尺円筒体１２、２２、３２、４２、５２の内部において、該補強用リブ部１１１、２１１、３１１、４１１、５１１が当接又は干渉する部分に挿入凹部１２０、２２０、３２０、４２０、５３０を有し、補強用リブ部１１１等の先端部１１２、２１２、３１２、４１２、５１２は挿入凹部１２０、２２０、３２０、４２０、５２０内に嵌挿している。
【００２８】
図１、図３、図５、図７及び図８は、両開きドア召し合わせ部材１、２、３、４、５の略中央部分における横（水平方向）の断面図を示すものである。
【００２９】
これらを大別すると、長尺円筒体１２、２２、３２、４２、５２の内部において、長尺円柱部との間に中間緩衝体１２、２４を有するもの（図１、図３参照）と、中間緩衝体１２、２４を有しないもの（図５、図７、図８）との２つの様態がある。
【００３０】
これにより、特に下記に示すごとく、剛性や吸音防振性などの諸物性に差異を生じる。
【００３１】
前記中間緩衝体１２、２４は、例えば弾性体である弾性ゴム、防振ゴム、制振鋼板、合成樹脂発泡体のいずれかであることが好ましい。
【００３２】
防振ゴムはゴムの弾性を利用したものであり、形状や寸法を広範囲に選択することが出来るため、３軸方向の防振効果を有する。また、防振ゴムは内部摩擦が大きいので、高周波の振動を吸収するのに適している。これらは、以下請求項５の記載に対応するものである。防振ゴムとしては、例えば天然ゴム、ブタジェンゴム、ブチルゴム、ウレタンゴムなどがある。
【００３３】
また、弾性ゴムは、上記例示の各種ゴムの内部に空気やガスの小さい空洞を設けて、ゴムに圧縮性を高めたフォームラバーがある。これらは、極めて柔らかいので軽い荷重に適しており、小さい振動を吸収するほか、取付けが容易で、熱膨張が小さい特徴がある。
【００３４】
制振鋼板としては、鋼板の振動を小さくするために、鋼板の片面に粘弾性高分子材料であるダンピングシートを接着した非拘束形と、ダンピングシートを鋼板でサンドイッチ状に挟んだ拘束形とがある。制振鋼板に曲げ変形が生じると、非拘束形では粘弾性材料が伸縮変形する。これに対し、拘束形のものはせん断変形し、いずれも粘性減衰によって振動を減衰させる。一般には、拘束形が制振効果が高いし、損傷も少ないので多く用いられている。そのため、実施例１においては、図１に示すごとく、中間緩衝体１２として拘束形の制振鋼板を利用している。
【００３５】
合成樹脂発泡体としては、例えばポリウレタン樹脂発泡体、ポリ塩化ビニル樹脂発泡体、ポリエチレン樹脂発泡体、ポリスチレン樹脂発泡体などがある。このうち、ポリウレタン樹脂発泡体は、図３に示すごとく、長尺円筒体２２の内部において、挿入凹部２４０を４か所中心に放射状に有する円筒状の成形型を内装して、押出成形又は射出成形などを用いることなく、現場発泡（長尺円筒体内における発泡）を行うことが出来る利点がある。
【００３６】
次に、請求項４に記載のごとく、前記長尺円柱部１１、１２、１３、１４、１５は、請求項３に記載のごとく、金属又はプラスチック成形体のいずれかであることを特徴としている。ドアの開閉時の衝撃を吸有する剛性にして、かつ弾性を有する材料だからである。
【００３７】
金属としては、一般に木造住宅の建材や家具に用いられる種類のものがあり、鉄、鉄合金（例えばステンレス鋼）、アルミニウム、アルミニウム合金、亜鉛、亜鉛合金などがある。
【００３８】
プラスチック成形体としては、ポリウレタン樹脂、ポリエステル樹脂、アクリルエステル樹脂、ポリクロロエチレン樹脂、ナイロン（登録商標）、ポリエチレン、アクリロニトリルースチレン共重合体、アクリロブタジエン共重体などがある。これらの樹脂成形体は、一般に引張り強さ、弾性率、圧縮強度、屈曲強度などに優れているからである。
【００３９】
長尺円筒体１２、２２、３２、４２、５２は、木材、竹材、金属、プラスチック成形体又はその組合せ部材のいずれかよりなることを特徴とするものである。
【００４０】
木材としては、例えば木材繊維が多方向に配列された集成材、この集成材を用いたランバー合板、アセチール化木材、ホルマール化木材などの寸法安定木材のほか、強化木材、ハードボード（硬質繊維板）などがある。
【００４１】
竹材としては、孟宗竹、雌竹、成形加工竹などがある。その他発泡樹脂合成木材を用いることも出来る。
【００４２】
次に、請求項６に記載のごとく、前記長尺円柱部１１、２１、３１、４１、５１、長尺円筒体１２、２２、３２、４２、５２、中間緩衝体１４、２４のいずれか一種又は一種以上は、係止具、固着具、ブラケット材のいずれかを有することを特徴としている。係止具としては例えば、ナイトラッチ、マグネットラッチ、柱脚金物、フック、戸当りあおり止めなどがある。また、固着具としては、例えば扁平円筒形螺合具、マグネット凹凸嵌合具、埋込み接合ジョイナー、ピポットヒンジ、脚部接合具、座金付きボルトなどにより構成する。
【００４３】
ブラケット材としては、例えば前記ランバー合板、メラミン樹脂又はジアリルフタレート樹脂化粧板、発泡樹脂合板、ハードボード、ガラス繊維強化プラスチックなどにより構成する。
【００４４】
請求項７に記載の発明の両開きドア召し合わせ部材の取付構造としては、図２、図４、図６に示すごとく、前記ブラケット材７は、両開きドア６の裏面側において、両開きドア６、６の双方当接部６０のいずれのドアまたは親子ドアにおいては、親ドア６１の裏面に埋込み接合ジヨイナー７１を介在して取付け固着される。
【００４５】
そして、ブラケット材７の中央部（図２参照）又は親ドア６２側に片寄った位置に取付け固着される。親子ドア９（図１０、図１１参照）においては、一般に親ドア６１が開閉されるため、この親ドア６１の開止時における当接衝撃を子ドア６２に取付け固定した両開き召し合せ部材１〜５の特に長尺円柱部１１、２１、３１、４１、５１より受け止め、更には当接衝撃を吸収し、振動を静止する必要があるからである。
【００４６】
したがって、図２、図４、図６に示すごとく、両開きドア召し合わせ部材１〜５は、両開きドアの双方当接部において、係止具、固着具、ブラケット材７のいずれかを使用して、両開きドアのいずれかの双方当接部近傍に取付け固着される構造を採用する必要がある。請求項７に対応するものである。
【００４７】
そのためには、請求項６の記載の発明において、前記長尺円柱部１１、２１、３１、４１、５１、長尺円筒体１２、２２、３２、４２、５２、中間緩衝体１４、２４のいずれか１種又は１種以上は、係止具、固着具ブラケット材７のいずれかを用いて両開きドア召し合わせ部材１〜５をドアに取付け固定することになる。
【００４８】
図１は、実施例１に係る両開きドア召し合わせ部材１の横断面図を示すものであるが、長尺円柱部１１は四方に均等に延設されている。
【００４９】
この長尺円柱部１１は、例えばステンレス又は鉄表面塗装材に補強用リブ部１１１を溶接してもよく、一体鋳造又は押出成形しても良い。長尺円柱部１１の本体に補強用リブ部１１１を溶接する場合においては、補強用リブ部１１１を板ばねにより構成しても良い。このことは、図３１に示すごとく、長尺円柱部２１の四方に延設された断面形状が「きの子」状の補強用リブ部２１１の場合においても適用される。
【００５０】
これにより、長尺円筒体１２、２２の内部に中間緩衝体１４、２４を形成した後に、中心部において、長尺円柱部１１、２１を嵌挿する場合には、挿入凹部１２０、２２０の所定の位置に長尺円柱部１１、２１を取付け固定する上で好都合である。長尺円柱部１１、２１の先端部１１２、２１２が板ばねの作用により回転するからである。
【００５１】
このことは、図５、図７、図８に示すごとく、少なくとも長尺円柱部３１、４１、５１を弾力性を有する各種の熱可塑性樹脂により構成した場合に、同様のことが言える。なお、長尺円柱部３１、４１、５１をプラスチック形成体により構成する場合においては、例えばポリウレタン樹脂ガラス繊維、ナイロン布強化プラスチック成形品を押出成形又は射出成形により構成することが出来る。
【００５２】
固着具１１、２１は、例えば鉄、ステンレス、アルミニウム合金などの金属により構成する場合においても、押出成形又は射出成形により連続的に製作することが出来る。
【００５３】
なお、長尺円筒体として木材又は竹材を使用する場合においては、寸法精度の高い寸法安定木材を使用することが好ましい。両開きドア召し合わせ部材１〜５を取付け固定した後に、間口の高さは一定であるため、高寸法精度が要求されるからである。
【００５４】
固着具を木材で構成する場合は切削加工、穴明け加工を採用することが好ましい。所定形状のものを連続生産することが出来るからである。固着具を竹材で構成する場合は、例えば孟宗竹の節部を切削除去し、後に加熱成形加工することが好ましい。
【００５５】
長尺円柱部１１、２１、３１、４１、５１は、いずれもこれを中心に放射状に補強用リブ部１１１、２１１、３１１、４１１、５１１を有するため、長尺円柱部自体の強度が補強されると共に、反りやねじれの発生を抑制する。
【００５６】
また、長尺円筒部１２、２２、３２、４２、５２には、少なくとも空隙部１３、２３、３３、４３、５３を有する。そのため、空気の断熱効果や空気移動を阻止することにより、両開きドア召し合わせ部材１〜５全体の反りやねじれの発生を防止する。
【００５７】
また、両開きドア召し合わせ部材１〜５は、長尺円柱部１１、２１、３１、４１、５１の周縁部と長尺円柱部１１、２１、３１、４１、５１との間において、中間緩衝体１４、２４（図１，図３参照）を有する態様がある。
【００５８】
これにより、両開きドアの開閉時に発生する当接衝撃音や振動を吸収し、緩和することが出来る。また、補強効果や長尺円柱部１１、２１、３１、４１、５１の所定の位置からの回動を防止することが出来る。
【００５９】
長尺円柱部１１、２１、３１、４１、５１、長尺円筒体１２、２２、３２、４２、５２、中間緩衝体１４、２４の上端及び下端は、係止具や固着具により、これから一体に構成されるように取付け固着される。例えば少なくとも上下両端部において栓のごとき係止体が装着される。
【００６０】
以下、本発明において好ましい実施例１〜５について、画面を用いて具体的に説明する。
（実施例１）
本例の両開きドア召し合わせ部材１及び取付構造は、図１及び図２に示すごとく、長尺円柱部１１と中間緩衝体１４と長尺円筒体１２とよりなる。また長尺円柱部１１は、四方に均等状態で中心に放射状に形成されている。
【００６１】
長尺円柱部１１としては、ステンレス製などの長尺棒状体に間欠的（一定の間隔を置いて）板ばねにより構成した補強用リブ部１１１を溶接して構成する。
【００６２】
中間緩衝体１４としては、制振ゴム押出成形品により構成する。
【００６３】
長尺円筒体１１としては、寸法安定木材としての集成材により構成する。この集成材は、木材繊維方向が多方向に配列された寸法変化率の小さい特徴を有する。その理由は、一般に木材の寸法変化は木材の繊維方向に支配され易く、木材繊維が略同一方向に偏向すると、一般に木材の寸法変化が大きくなることが知られているからである。
【００６４】
また、ここで注目すべきことは、最近の木材資源の枯褐化に鑑みて、箱物、家具などの製作時に発生する端尺物（端尺木片）や木造家屋の解体時に発生する廃棄木材を積極的に利用するリサイクル木材により構成することが出来ることである。
【００６５】
上記集成材を積層接合するに当たっては、長尺円筒体１２を形成するための成形型内において、フェノール樹脂やレゾルシノール樹脂を使用し、成形加熱加圧は通常の条件（１５０度〜１８０度、１０気圧から１５気圧）により制作したものである。
【００６６】
これにより、寸法安定性に優れると共に、穴抜きの木材廃棄がなく、所定形状の長尺円柱部１１を効率よく制作することが出来た。
【００６７】
次に、両開きドア召し合わせ部材１の取付構造について説明する。
【００６８】
図２に示すごとく、両開きドア６において、開閉する側のドア６１の裏面側において、ブラケット材７に埋込み接合のジョイナ７１を蟻掛嵌合により装着する。
【００６９】
このブラケット材７には、前記ランバー合板を使用し、接着剤８を用いて接合する。
【００７０】
また、両開きドア６において、両ドア６１、６２を開閉する場合においては、ドアの裏面側において、両開きドア召し合わせ部材１いずれの位置位おいてもブラケット７等を接合することなく、両ドア６１、６２を開閉するする際に、両ドア６１、６２の双方当接部の位置に、ドア開口部の鴨居（図示略）と床部に埋込み接合具を介在して両開きドア召し合わせ部材１を立設することも出来る。
【００７１】
これにより、両開きドアの取付け作業や固着性及び吸音防振性に優れた両開きドア召し合わせ部材１を得ることが出来た。
【００７２】
また、長尺円筒体１２として、前記集成材及びランバー合板を使用しているので資源のリサイクル利用により、循環型社会及び自然環境保全に役立つことが出来る。
（実施例２）
本例の両開きドア召し合わせ部材２は、図３及び図４に示すごとく、長尺円柱部１１と、中間緩衝体２４と、長尺円筒体２２とよりなるものである。
【００７３】
長尺円柱部１１としては、アルミニウム合金（例えば高強度ジュラルミン）により構成し、四方に均等位置で中心に放射状に中間緩衝体２４を有する。この中間緩衝体２４は、先端部２１２において断面半円形状の突起部を有する。そのため、中間緩衝体２４に形成された中間緩衝体の凹部２２０内に嵌挿されると、安定嵌合する。
【００７４】
上記中間緩衝体２４は、ポリウレタン樹脂の現場発泡成形体よりなる。これにより、中間緩衝体２４は、長尺円筒体２２内において、迅速容易に形成することが出来た。
【００７５】
上記長尺円筒体２２は、焼付け塗装鉄材を所定形状に成形加工したものである。
【００７６】
両開きドア召し合わせ部材２の製作順序としては、まず長尺円筒体２２を構成する。次に、所定形状の金型（図示略）をセットする。そして、金型内において、ポリウレタンフォームの原料を注入した後、加熱する。これにより、中間緩衝体２４が形成された。
【００７７】
最後に、このようにして得られた長尺円筒体２２と中間緩衝体２４との複合形成体の上端又は下端部より、中間緩衝体２４の挿入凹部２２０内に長尺円柱部２１の四本の補強用リブ部２１１及びその先端部２１２が嵌挿される状態で押し込む。これにより、横断面が図３に示すごとく、中央部に長尺円柱部２１とその周縁部に中間緩衝体２４とこれと当接（接着）された長尺円筒体２２を有する両開きドア召し合わせ部材２を得ることが出来た。
このようにして構成された両開きドア召し合わせ部材２は、図４に示すごとく、親ドア６の子ドア６２の裏面側において、ブラケット材７を埋込みジョイント７１を介在してドア桟部６２１に接着接合した。
【００７８】
ブラケット材７は、ガラスエポキシ強化板（Ｆ・Ｒ・Ｐ）により構成した。また、ブラケット材７には穴明部内に両開きドア召し合わせ部材２をエポシキ系接着剤を使用して接合した。なお、ブラケット材７に埋込みジョイント７１を接着接合するに当たっても、エポシキ系接着剤を使用した。
【００７９】
本例によれば、両開きドア召し合わせ部材２は実施例１よりも比較的軽量な材料により構成されている。そのため、実施例１の両開きドア召し合わせ部材１よりも軽量な両開きドア召し合わせ部材２を得ることが出来た。
（実施例３）
本例は、図５及び図６に示すごとく、親ドア６において、プラスチック成形体よりなる両開きドア召し合わせ部材３を提供するものである。
【００８０】
両開きドア召し合わせ部材３は、図５に示すごとく、長尺円柱部３１の中心に放射状の３本の補強用リブ部３１１を有する。そして、長尺円筒体３２は、上記３２０を有する。
【００８１】
上記長尺円柱部３１及び長尺円筒体３２は、ガラス繊維が充填されたジアリルフタレート押出成形品により構成する。
【００８２】
そのため、寸法変化率は比較的小さく、弾性率、引張り強度、圧縮強度及び屈折強度に優れた両開きドア召し合わせ部材３を得ることが出来た。
【００８３】
このようにして構成された両開きドア召し合わせ部材３は、図６に示すごとく、実施例２と同様に、親ドア６において子ドア６２の裏面側において、ブラケット材７を接着接合した。
【００８４】
ここで注目すべきことは、上記ブラケット７は、図５に示すごとく構成された両開きドア召し合わせ部材３を断面形状が略きの子状を有する金型加圧成形して構成されたものであることである。
【００８５】
これにより、ブラケット材７と両開きドア召し合わせ部材３の接着接合の手間を省き、ブラケット材７と両開きドア召し合わせ部材３とが同質材料により構成されるため、寸法変化率や諸物性が同質で耐久性に優れた両開きドア召し合わせ部材３を得ることができた。
（実施例４）
本例は、図７に示すごとく、４本の補強用リブ部４１１を有する長尺円柱部４１と、これを中心とした長尺円筒体４２とにより構成された両開きドア召し合わせ部材４を提供するものである。
【００８６】
上記長尺円柱部４１と長尺円筒体４２は、アクリルニトリルスチレン重合物の射出成品である。
【００８７】
上記プラスチック成形体は、寸法変化率が比較的小さく、弾性率は大きく、引張り強度、圧縮強度、屈折強度に優れた両開きドア召し合わせ部材４を得ることが出来た。その他の構成は、実施例３に係る両開きドア召し合わせ部材３と同様にした。
（実施例５）
本例の両開きドア召し合わせ部材５は、図８に示すごとく、長尺円柱部５１と長尺円筒体５２とよりなるものである。長尺円柱部５１は、中心に放射状の補強用リブ部５１１を有する。
【００８８】
上記長尺円柱部５１及び長尺円筒体５２は、実施例４におけるアクリルニトリルスチレン重合物の射出成形品に代えて、ポリクロロトリフロロエチレンの射成形品としたものである。その他の構成は、補強用リブ部５１１の数を除き、同様の構成とした。
【００８９】
これにより、寸法変化率は比較的小さく、弾性率は比較的大きく、引張り強度、圧縮強度、屈折強度に優れた両開きドア召し合わせ部材５を得ることが出来た。
【００９０】
以上、前記実施例に基づいて本発明を説明したが、これらは本発明の一実施態様であるため、これらの実施例に限定されるものでなく、本質を逸脱しない限り、更に種々の改良や変形が可能である。
【００９１】
【発明の効果】
以上説明したごとく、本発明は請求項１〜請求項７に記載の発明により構成されているものであるから、下記に示すような諸々の効果を奏するものである。
【００９２】
まず、請求項１に記載の発明によれば、ドアの開閉時、特に両開きドアの双方当接部の衝撃を低下させたり、緩和することが出来る。
【００９３】
請求項２に記載の発明によれば、ドアの開閉時、特に両開きドアの双方当接部分の衝撃音を低下させたり、緩和することが出来る。
【００９４】
そして請求項３に記載の発明によれば、剛性や弾性に優れ、かつ耐久性に優れた両開きドア召し合わせ部材１〜５を得ることができる。
【００９５】
また、請求項４に記載の発明によれば、各種材料の有効利用により、各材料のそれぞれの特性を活かした両開きドア召し合わせ部材１〜５を得ることが出来る。
【００９６】
請求項５に記載の発明によれば、両開きドアの開閉時における、特に特許文献の部分の振動を緩和すると共に、吸音性に優れた両開きドア召し合わせ部材１〜５を得ることが出来る。
【００９７】
請求項６に記載の発明によれば、両開きドアに裏面上端部より下端部の双方当接部分において、両開きドア召し合わせ部材１〜５を取付け固定することが出来る。
【００９８】
そして、請求項７に記載の発明によれば、親子ドア、両開きドア等の両開きドアの取付け作業性や固着性及び吸音防振性に優れた両開きドア召し合わせ部材１〜５を迅速容易に得ることが出来る。
【図面の簡単な説明】
【図１】本発明の実施例１に係る両開きドア召し合わせ部材の横（水平方向）断面図である。
【図２】本発明の実施例１に係る両開きドア召し合わせ部材の取付構造を示す一部平面図である。
【図３】本発明の実施例２に係る両開きドア召し合わせ部材の同断面図である。
【図４】本発明の実施例２に係る両開きドア召し合わせ部材の取付構造を示す同平面図である。
【図５】本発明の実施例３に係る両開きドア召し合わせ部材の同断面図である。
【図６】本発明の実施例３に係る両開きドア召し合わせ部材の取付構造を示す同平面図である。
【図７】本発明の実施例４に係る両開きドア召し合わせ部材の同断面図である。
【図８】本発明の実施例５に係る両開きドア召し合わせ部材の同断面図である。
【図９】従来の両開きドア召し合わせ部材の縦断面図である。
【図１０】従来の両開きドア召し合わせ部材の親子ドアの両開きドア召し合わせ部材及びその一部平面図を示すものである。
【図１１】従来の親子ドアの取付け状態を示す斜視図である。
【符号の説明】
１１、２１、３１、４１、５１・・・・・長尺円柱部
１２、２２、３２、４２、５２・・・・・長尺円筒体
１１１、２１１、３１１、４１１、５１１・・・・・補強用リブ部
１２０、２２０、３２０、４２０、５２０・・・・・挿入凹部
１３、２３、３３、４３、５３・・・・・空隙部
１４、２４・・・・・中間緩衝体
６・・・・・親子ドア
６１・・・・・親ドア
６２・・・・・子ドア
７・・・・・ブラケット材
【図１】
2004353172.tif 000003
【図２】
2004353172.tif 000004
【図３】
2004353172.tif 000005
【図４】
2004353172.tif 000006
【図５】
2004353172.tif 000007
【図６】
2004353172.tif 000008
【図７】
2004353172.tif 000009
【図８】
2004353172.tif 000010
【図９】
2004353172.tif 000011
【図１０】
2004353172.tif 000012
【図１１】
2004353172.tif 000013